(57)【要約】【課題】内視鏡の挿入部又は挿入補助具にバルーンを簡単に取り付けることができる内視鏡のバルーン取付治具を提供する。【解決手段】バルーン取付治具１０をリング部材１６と一対の爪部材１８、１８とから構成する。一対の爪部材１８、１８をバルーン１２の取付孔１３に挿入した後、内視鏡の挿入部先端１４をリング部材１６の開口部に押し込む。この時に生じる挿入部先端１４の押し込み力によって一対の爪部材１８、１８は拡径させられる。これにより、挿入部先端１４がバルーン１０の取付孔１３に挿入されていき、内視鏡の挿入部先端１４にバルーン１０が簡単に取付られる。【選択図】      図４
2005193000.tif 000002
【特許請求の範囲】
【請求項１】
内視鏡の挿入部又は前記挿入部の体腔内への挿入を補助する挿入補助具を、バルーンの取付孔に挿入することによって、前記バルーンを前記挿入部又は前記挿入補助具に取り付けるためのバルーン取付治具において、
前記バルーンの取付孔に挿入されるとともに前記挿入部又は挿入補助具が挿入されるガイド部が、拡縮径自在に構成されていることを特徴とする内視鏡のバルーン取付治具。
【請求項２】
内視鏡の挿入部又は前記挿入部の体腔内への挿入を補助する挿入補助具を、バルーンの取付孔に挿入することによって、前記バルーンを前記挿入部又は前記挿入補助具に取り付けるためのバルーン取付治具において、
前記挿入部又は前記挿入補助具の外径よりも大きい内径を有するリング部材と、
前記リング部材と一体に形成され又は前記リング部材に基端部が固定された複数のガイド片と、
からなり、前記ガイド片が前記バルーンの取付孔に挿入され、前記内視鏡の挿入部又は挿入補助具を前記リング部材の開口部に押し込む際に生じる押し込み力によって、複数のガイド片によって形成される径が拡径されることにより、内視鏡の挿入部又は挿入補助具がバルーンの取付孔に挿入されることを特徴とする内視鏡のバルーン取付治具。
【請求項３】
前記バルーン取付治具は、紙、樹脂製フィルム等の引き裂き可能な材料によって作られていることを特徴とする請求項２に記載の内視鏡のバルーン取付治具。
【請求項４】
前記バルーン取付治具には、筒状体の端部から切れ込みが形成されている形態を有することを特徴とする請求項３に記載の内視鏡のバルーン取付治具。
【請求項５】
内視鏡の挿入部又は前記挿入部の体腔内への挿入を補助する挿入補助具を、バルーンの取付孔に挿入することによって、前記バルーンを前記挿入部又は前記挿入補助具に取り付けるためのバルーン取付治具において、
前記挿入部又は前記挿入補助具の外径よりも大きい内径を有するリング部材と、
基端部が前記リング部材に固定された複数のガイド片と、
を備え、前記リング部材と前記ガイド片の少なくとも一方が、前記バルーンよりも大きな復元力を有する弾性部材によって構成され、
該弾性部材を弾性変形させながら前記複数のガイド片を前記バルーンの取付孔に挿入することによって前記取付孔が前記弾性部材の復元力によって内側から拡げられることを特徴とする内視鏡のバルーン取付治具。
【発明の詳細な説明】
【技術分野】
【０００１】
本発明はバルーン取付治具に係り、特に内視鏡の挿入部、又は挿入部を体腔内に挿入する際のガイドとなる挿入補助具に、バルーンを取り付けるための内視鏡のバルーン取付治具に関する。
【背景技術】
【０００２】
近年の内視鏡装置には、内視鏡挿入部の外周面、又は挿入部を体腔内に挿入する際のガイドとなる挿入補助具の外周面にバルーンが装着された内視鏡装置が開発されている。この内視鏡装置は、バルーンを膨張させることによって、挿入部又は挿入補助具を体腔内に固定できるので、挿入部の先端部を所望の方向に向けて固定できる。前記バルーンは、略筒状に形成されており、挿入部又は挿入補助具を挿通させた状態で固定される。したがって、バルーンを取り付ける際は、バルーンの挿入用開口部を拡径させた状態で、挿入部又は挿入補助具を挿通させる必要がある。
【０００３】
特許文献１には、バルーンを筒体の内周面に吸着して取り付ける方法が記載されている。この方法によれば、バルーンを筒体の内周面に吸着することによって、バルーンの内径を拡径することができるので、挿入部又は挿入補助具を挿通させることができる。しかし、この方法は、専用の吸引装置が必要となるという問題があった。
【０００４】
特許文献２には、管状の装着具本体と、装着具本体の基端に螺合された締め金具を用いて、筒状の湾曲ゴムを取り付ける方法が記載されている。装着具本体は、締め金具を締め込むことによって、先端部が細径化される。したがって、細経化された装着具本体の先端部に湾曲ゴムを被せた後、締め金具を緩めて装着具本体の先端部の径を大きくすれば、湾曲ゴムの内径を拡げることができ、挿入部を挿通させることができる。
【特許文献１】特開平５−１５４８７号公報
【特許文献２】特開平９−３０８６０５号公報
【発明の開示】
【発明が解決しようとする課題】
【０００５】
しかしながら、特許文献２は、締め金具を装着具本体にねじ込んだり、緩めたりする作業が増えるため、装着作業そのものを簡略化できないという問題があった。
【０００６】
また、特許文献２は、締め金具を装着具本体に締め込んだ際、装着具本体の先端部の径が小さくなるのに対し、装着具本体の基端部の径が大きいままであるため、湾曲ゴムを装着具本体に被せる作業に手間がかかるという問題、及び基端側に被せられた湾曲ゴムが過剰に膨張され、湾曲ゴムが損傷するという虞もあった。
【０００７】
本発明はこのような事情に鑑みてなされたもので、内視鏡の挿入部又は挿入補助具にバルーンを簡単に取り付けることができる内視鏡のバルーン取付治具を提供することを目的とする。
【課題を解決するための手段】
【０００８】
請求項１に記載の発明は、前記目的を達成するために、内視鏡の挿入部又は前記挿入部の体腔内への挿入を補助する挿入補助具を、バルーンの取付孔に挿入することによって、前記バルーンを前記挿入部又は前記挿入補助具に取り付けるためのバルーン取付治具において、前記バルーンの取付孔に挿入されるとともに前記挿入部又は挿入補助具が挿入されるガイド部が、拡縮径自在に構成されていることを特徴としている。
【０００９】
請求項２に記載の発明は、前記目的を達成するために、内視鏡の挿入部又は前記挿入部の体腔内への挿入を補助する挿入補助具を、バルーンの取付孔に挿入することによって、前記バルーンを前記挿入部又は前記挿入補助具に取り付けるためのバルーン取付治具において、前記挿入部又は前記挿入補助具の外径よりも大きい内径を有するリング部材と、前記リング部材と一体に形成され又は前記リング部材に基端部が固定された複数のガイド片と、からなり、前記ガイド片が前記バルーンの取付孔に挿入され、前記内視鏡の挿入部又は挿入補助具を前記リング部材の開口部に押し込む際に生じる押し込み力によって、複数のガイド片によって形成される径が拡径されることにより、内視鏡の挿入部又は挿入補助具がバルーンの取付孔に挿入されることを特徴としている。
【００１０】
請求項２に記載の発明によれば、バルーン取付治具の複数のガイド片を、バルーンの取付孔に挿入する。この時、ガイド片自体には、バルーンの取付孔を拡径するだけの弾性力は有していない。よって、この状態では、複数のガイド片によって形成される挿入用内径は、挿入部又は挿入補助具の外径よりも小さい状態となっている。この状態において、バルーン取付治具のリング部材から挿入部又は挿入補助具の先端を押し込んでいき、挿入部又は挿入補助具の先端が複数のガイド片に接触した時点で、挿入部又は挿入補助具に更に強い押し込み力を与える。この押し込み力によって複数のガイド片が、押し広げられるように拡径されることにより、挿入用内径が拡径され、内視鏡の挿入部又は挿入補助具がバルーンの取付孔に挿入されていく。これにより、内視鏡の挿入部又は挿入補助具にバルーンを簡単に取り付けることができる。
【００１１】
請求項３に記載の発明によれば、前記バルーン取付治具は、紙、樹脂製フィルム等の引き裂き可能な材料によって作られていることを特徴としている。内視鏡の挿入部又は挿入補助具にバルーンを装着した後、バルーン取付治具は挿入部又は挿入補助具から取り外される。この場合、バルーン取付治具が引き裂くことのできない材料で作られていると、ガイド片をバルーンの取付孔から取り外した後、このバルーン取付治具をバルーンの外周部を通過させて挿入部又は挿入補助具から引き抜かなければならない。この引き抜き時に、バルーン取付治具がバルーンに引っ掛かると、薄いゴムシートで作られたバルーンが破損する場合がある。これに対して請求項２に記載の発明は、ガイド片をバルーンの取付孔から取り外した後、引き裂くことによりバルーン取付治具を挿入部又は挿入補助具から取り外す。これにより、バルーン取付治具をバルーンの外周部を通過させる必要がなくなるので、バルーンがバルーン取付治具によって破損することを防止できる。
【００１２】
請求項４に記載の発明によれば、前記バルーン取付治具には、筒状体の端部から切れ込みが形成されている形態を有することを特徴としている。バルーン取付治具に、筒状体の端部から切り込みを形成することによって、バルーン取付治具を容易に引き裂くことができる。
【００１３】
請求項５に記載の発明は、前記目的を達成するために、内視鏡の挿入部又は前記挿入部の体腔内への挿入を補助する挿入補助具を、バルーンの取付孔に挿入することによって、前記バルーンを前記挿入部又は前記挿入補助具に取り付けるためのバルーン取付治具において、前記挿入部又は前記挿入補助具の外径よりも大きい内径を有するリング部材と、基端部が前記リング部材に固定された複数のガイド片と、を備え、前記リング部材と前記ガイド片の少なくとも一方が、前記バルーンよりも大きな復元力を有する弾性部材によって構成され、該弾性部材を弾性変形させながら前記複数のガイド片を前記バルーンの取付孔に挿入することによって前記取付孔が前記弾性部材の復元力によって内側から拡げられることを特徴としている。
【００１４】
請求項５の発明によれば、リング部材とガイド片の一方が弾性部材によって構成されるので、弾性部材を弾性変形させることによって、複数のガイド片の先端部を近接させることができ、先端部を簡単にバルーンの取付孔に挿入することができる。また、弾性部材を復元させることによって、バルーンの取付孔を内側から拡げることができる。したがって、挿入部或いは挿入補助具をバルーンの取付孔に容易に挿入することができる。
【発明の効果】
【００１５】
本発明に係る内視鏡のバルーン取付治具によれば、リング部材と複数のガイド片とから構成し、複数のガイド片をバルーンの取付孔に挿入し、内視鏡の挿入部又は挿入補助具の先端をリング部材の開口部に押し込む際に生じる押し込み力によって、複数のガイド片を拡径させながら挿入部又は挿入補助具をバルーンの取付孔に挿入することができるので、内視鏡の挿入部又は挿入補助具にバルーンを簡単に取り付けることができる。
【００１６】
また、本発明に係る内視鏡のバルーン取付治具によれば、リング部材とガイド片の少なくとも一方を弾性変形させることによってガイド片の先端部を簡単にバルーンの取付孔に挿入することができ、弾性変形したリング部材或いはガイド片を復元させることによってバルーンの取付孔を内側から拡げることができるので、挿入部や挿入補助具をバルーンの取付孔に容易に挿入することができ、バルーンの装着作業を容易に行うことができる。
【発明を実施するための最良の形態】
【００１７】
以下添付図面に従って本発明に係る内視鏡のバルーン取付治具の好ましい実施の形態について説明する。
【００１８】
図１は、実施の形態に係るバルーン取付治具１０を示した斜視図であり、図２は、図１のバルーン取付治具１０の展開図である。また、図３は、図１のバルーン取付治具１０によって、内視鏡の挿入部先端１４に装着されるバルーン１２を示した斜視図である。なお、以下の実施の形態では、バルーン１２を挿入部先端１４に取り付ける例で説明するが、これに限定するものではなく、挿入部挿入部を体腔内に挿入するための挿入補助具に装着してもよい。
【００１９】
図３に示すように、バルーン１２は、両端が絞られた略筒状に全体が形成されており、両端の円筒状固定部１２Ａ、１２Ａと、中央の膨張部１２Ｂとから構成されている。また、バルーン１２は、ゴム等の弾性体であり、固定部１２Ａの取付孔１３の内径Ｄ２が挿入部先端１４の外径Ｄ３よりも小さく形成されている。したがって、図３の二点鎖線で示すように、挿入部先端１４をバルーン１２に挿入すると、バルーン１２の固定部１２Ａ、１２Ａがその弾性力によって挿入部先端１４の外周面に密着する。この固定部１２Ａ、１２Ａに糸を巻回したり、固定リングを嵌挿したりすることによって、バルーン１２が挿入部先端１４に強固に装着される。装着されたバルーン１２は、内部にエアが供給されることによって膨張部１２Ｂが膨張するとともに、内部のエアを吸引することによって膨張部１２Ｂが収縮し挿入部先端１４の外周面に密着される。なお、バルーン１２の形状は、上述した例に限定されるものではなく、例えば、円筒形状のバルーンや、固定部１２Ａが一つのみ形成された風船タイプのバルーンであってもよい。
【００２０】
図１に示すバルーン取付治具１０は、挿入部先端１４にバルーン１２を被せるための装着具であり、リング部材１６と一対の爪部材（ガイド部、複数のガイド片）１８、１８とによって一体的に構成されている。このバルーン取付治具１０は、図２の如く６本の山折り線１７、１７…に沿って山折りされることにより六角筒状に形成され、リング部材１６を形成するシートの両端に形成された糊代部１９、１９を接着することにより、図１に示したバルーン取付治具１０に組み立てられる。なお、実施の形態では、リング部材１６と一対の爪部材１８、１８とを一体に構成したが、別体に構成し、接着剤により双方を接着したものでもよい。
【００２１】
リング部材１６は、その内径Ｄ１が図３の挿入部先端１４の外径Ｄ３よりも若干大きく形成されており、挿入部先端１４をリング部材１６に挿通できるようになっている。また、バルーン取付治具１０は、引き裂き可能な紙によって作られている。更に、その引き裂きを容易に行うために、図２の如く短めの山折り線１７に沿って切れ込み２１が形成されている。なお、バルーン取付治具１０の材料は、紙に限定されるものではなく樹脂製フィルム等の引き裂き可能な材料であれば適用できる。
【００２２】
一対の爪部材１８、１８は、リング部材１６の周囲に１８０°の間隔をもって形成され、バルーン取付治具１０が組み立てられた際に対向するように形成されている。また、一対の爪部材１８、１８は、図２の如く一定の幅Ｗで形成された矩形のガイド部分１８Ａと、ガイド部分１８Ａの先端側に形成された差込部分１８Ｂとから構成される。
【００２３】
ガイド部分１８Ａは、その幅Ｗが挿入部先端（図３参照）１４の外径Ｄ３よりも大きく形成されるとともに、長さＬ１がバルーン１２（図３参照）の固定部１２Ａの長さＬ２よりも長く形成されている。一方、差込部分１８Ｂは、先端に丸みを帯びた舌状に形成されており、差込部分１８Ｂをバルーン１２の固定部１２Ａの取付孔１３に容易に、且つ、バルーン１２を傷を付けることなく挿入できる形状に形成されている。
【００２４】
次に、前記の如く構成されたバルーン取付治具１０を用いてバルーン１２を取り付ける方法について図４を参照しながら説明する。
【００２５】
まず、術者が図４（１）の如く、片方の手Ｈの親指と人指し指とによって、折り畳まれた状態のバルーン取付治具１０のリング部材１６をつまみ、図４（２）の如く、爪部１８の差込部分１８Ｂをバルーン１２の固定部１２Ａの取付孔１３に挿入し、ガイド部分１８Ａの全長が取付孔１３に挿入されるまで爪部材１８を取付孔１３に押し込む。次に、親指と人指し指とによってリング部材１６の鋭角隅部を両外側から押圧する。これにより、リング部材１６は、折り畳まれた（取付孔が潰れた）状態から膨らんで図１のような六角筒状のバルーン取付治具１０となる。
【００２６】
次に、この形状を維持した状態で図４（２）の如く、爪部１８の差込部分１８Ｂをバルーン１２の固定部１２Ａの取付孔１３に挿入し、ガイド部分１８Ａの全長が取付孔１３に挿入されるまで爪部材１８を取付孔１３に押し込む。これにより、バルーン１２の取付孔１３にバルーン取付治具１０が装着される。なお、この時、一対の爪部材１８、１８自体には、バルーン１２の取付孔１３を拡径するだけの弾性力はない。よって、バルーン１２にバルーン取付治具１０を装着した段階では、一対の爪部材１８、１８によって形成される挿入用内径は、挿入部先端１４の外径Ｄ３よりも小さい状態となっている。
【００２７】
この状態において、術者は、親指と人指し指とによってバルーン取付治具１０のリング部材１６を再度つまみ、固定部１２Ａの弾性力に抗してリング部材１６の形状を六角筒状に再度変形させる。これにより、リング部材１６に対する挿入部先端１４の挿入が可能となる。
【００２８】
次いで、術者は、もう一方の手で挿入部を握り、挿入部先端１４をリング部材１６の六角形状の開口部に挿入するとともに押し込む。
【００２９】
挿入部先端１４を押し込んでいくと、固定部１２Ａの弾性力によって閉じている一対の爪部材１８、１８のガイド部分１８Ａ、１８Ａに挿入部先端１４が接触し、挿入の抵抗を受けるが、この時に挿入部先端１４に更に強い押し込み力を与える。
【００３０】
この押し込み力によって一対の爪部材１８、１８のガイド部分１８Ａ、１８Ａが、押し広げられるように拡径されることにより、挿入用内径が拡径され、挿入部先端１４がガイド部材１８Ａ、１８Ａをガイドとして固定部１２Ａの取付孔１３に挿入されていく。そして、その取付孔１３を通過すると、対向する固定部１２Ａの取付孔１３に挿入部先端１４を押し込み、その取付孔１３を貫通させる。これにより、図４（３）の如く、挿入部先端１４にバルーン１２が簡単に装着される。
【００３１】
挿入部先端１４にバルーン１２が装着されると、バルーン取付治具１０は不要なので、バルーン取付治具１０をバルーン１２及び挿入部先端１４から取り外す作業を行う。すなわち、図４（４）の如く、一対の爪部材１８、１８をバルーン１２の取付孔１３から引き抜いた後、バルーン取付治具１０を引き裂く。これにより、バルーン取付治具１０をバルーン１２や挿入部先端１４から取り外すことができる。また、バルーン取付治具１０には、その筒状体の端部から切れ込み２１が形成されているので、この切れ込みから引き裂くことにより、バルーン取付治具１０は容易に引き裂かれる。
【００３２】
これに対し、バルーン取付治具１０が引き裂くことのできない材料で作られていると、一対の爪部材１８、１８をバルーン１２の取付孔１３から引き抜いた後、このバルーン取付治具１０をバルーン１２の外周部を通過させて挿入部先端１４から引き抜かなければならない。この引き抜き時に、バルーン取付治具１０がゴム製の薄いシートで作られたバルーン１２に引っ掛かり、バルーン１２が破損する場合がある。
【００３３】
したがって、引き裂くことのできる材料で作られた実施の形態のバルーン１０は、引き裂くことでバルーン取付治具１０をバルーン１２の外周部を通過させる必要がなくなるので、バルーン１２がバルーン取付治具１０によって破損することを防止できる。
【００３４】
なお、上述した実施の形態では、バルーン１２の一方の固定部１２Ａのみにバルーン取付治具１０を取り付けた例を説明したが、これに限定するものではなく、図５に示すように、もう一方の固定部１２Ａにバルーン取付治具１０を取り付けてもよい。この場合、爪部材１８、１８を指でつまむことにより、両方の固定部１２Ａ、１２Ａを拡径することができるので、挿入部先端１４をより簡単にバルーン１２に挿通させることができる。
【００３５】
図６は、図５で示したバルーン１２とバルーン取付治具１０、１０を容器３０にパッケージした例が示されている。この容器３０は、紙箱、プラスチックケース等からなり、表面は透明体で被覆され、内部が視認可能となっている。また、図７は、図４（２）で示したバルーン取付治具１０の爪部材１８にバルーン１２を巻いて装着したものを容器３２にパッケージした例が示されている。この容器３２については、図６の容器３０と同様な構成である。また、容器３０、３２は殺菌処理されており、容器３０、３２を破ってバルーン１２とバルーン取付治具１０を取り出し、バルーン取付治具１０を介してバルーン１２を内視鏡挿入部に取り付ける。なお、使用後のバルーン１２は、引き裂きいて内視鏡挿入部から取り外し廃棄することができるようにディスポーザルタイプとしてもよい。この場合、バルーン１２の滅菌処理の手間を省くことができる。
【００３６】
図８に示すバルーン取付治具５０は、リング部材５２と複数本の櫛羽状ガイド部（ガイド部）５４とによって一体的に構成されている。櫛羽状ガイド部５４は、リング部材５２の円周縁部に沿って突出形成され筒状の形状をなしている。また、バルーン取付治具５０は、プラスチック又はゴム等の弾性部材によって作られており、櫛羽状ガイド部５４によって形成される径が拡縮自在となっている。
【００３７】
図８（１）の如く、術者が片方の手Ｈの親指と人指し指とによって、バルーン取付治具５０のリング部材５２をつまみ、図８（２）の如く、櫛羽状ガイド部５４をバルーン１２の固定部１２Ａの取付孔１３に挿入し所定量押し込む。なお、この時、櫛羽状ガイド部５４自体には、バルーン１２の取付孔１３を拡径するだけの弾性力はなく、よって、バルーン１２にバルーン取付治具５０を装着した段階では、櫛羽状ガイド部５４がバルーン１２の固定部１２Ａの弾性力に負けて先窄まり状に弾性変形されている。
【００３８】
次に、術者は、もう一方の手で挿入部を握り、挿入部先端１４をリング部材５２の開口部に挿入するとともに押し込む。挿入部先端１４を押し込んでいくと、固定部１２Ａの弾性力によって先窄まり状となっている櫛羽状ガイド部５４に挿入部先端１４が接触し、挿入の抵抗を受けるが、この時に挿入部先端１４に更に強い押し込み力を与える。この押し込み力によって櫛羽状ガイド部５４が押し広げられるように拡径されることにより、挿入用内径が拡径され、挿入部先端１４が櫛羽状ガイド部５４をガイドとして固定部１２Ａの取付孔１３に挿入されていく。そして、その取付孔１３を通過すると、対向する固定部１２Ａの取付孔１３に挿入部先端１４を押し込み、その取付孔１３を貫通させる。これにより、図８（３）の如く、挿入部先端１４にバルーン１２が簡単に装着される。
【００３９】
挿入部先端１４にバルーン１２が装着されると、次に、バルーン取付治具５０の櫛羽状ガイド部５４をバルーン１２の取付孔１３から引きく。この後、図８（４）の如くバルーン取付治具５０を引き裂く。これにより、バルーン取付治具５０をバルーン１２や挿入部先端１４から取り外すことができる。また、バルーン取付治具５０のリング部材５２には、ミシン目５６が形成されているので、ミシン目５６に沿って引き裂くことにより、バルーン取付治具５０を容易に引き裂くことができる。
【００４０】
図９は、本発明に係る他のバルーン取付治具１１０を示す斜視図であり、図１０は、図９の装着具１１０の平面図である。また、図１１は、図９の装着具１１０によって、（内視鏡の）挿入部１１４に装着されるバルーン１１２を示す斜視図である。なお、以下の実施の形態では、バルーン１１２を挿入部１１４に取り付ける例で説明するが、これに限定するものではなく、挿入部１１４を体腔内に挿入するための挿入補助具に装着してもよい。
【００４１】
図１１に示すように、バルーン１１２は、両端が絞られた略筒状に形成されており、両端の固定部（取付孔に相当）１１２Ａ、１１２Ａと、中央の膨張部１１２Ｂとを備えている。また、バルーン１１２は、ゴム等の弾性体から成り、固定部１１２Ａの内径Ｄ２が挿入部１１４の外径Ｄ３よりも小さく形成されている。したがって、図１１の二点鎖線で示すように、挿入部１１４をバルーン１１２に挿入すると、バルーン１１２の固定部１１２Ａ、１１２Ａがその弾性力によって挿入部１１４の外周面に密着するようになっている。この固定部１１２Ａ、１１２Ａに糸を巻回したり、固定リングを嵌挿することによって、バルーン１１２が挿入部１１４に装着される。装着されたバルーン１１２は、内部にエアを供給することによって膨張部１１２Ｂが膨張するとともに、内部からエアを吸引することによって膨張部１１２Ｂが挿入部１１４の外周面に張り付くようになっている。なお、バルーン１１２の形状は、上述した例に限定されるものではなく、例えば、円筒形状のバルーンや、取付孔が一つのみ形成されたバルーン等であってもよい。
【００４２】
図９、図１０に示す装着具１０は、上述したバルーン１１２に挿入部１１４を被せるためのジグであり、リング部材１１６と一対の爪部材１１８、１１８とによって構成されている。
【００４３】
リング部材１１６は、その内径Ｄ１が図１１の挿入部１１４の外径Ｄ３よりも若干大きく形成されており、挿入部１１４をリング部材１１６に挿通できるようになっている。また、リング
部材１１６は、ゴム等の弾性体から成り、外力を加えることによって簡単に弾性変形するとともに、バルーン１１２よりも大きな復元力で元の形状に戻るようになっている。
【００４４】
一対の爪部材１１８、１１８は、プラスチック等の硬質部材から成り、リング部材１１６を挟んで１８０°反対側に配置されている。また、一対の爪部材１１８、１１８は、リング部材１１６の外周形状に倣って湾曲しており、爪部材１１８、１１８の基端部分がリング部材１１６の外周面に接着固定されている。このため、爪部材１１８、１１８は、一定の幅Ｗで形成された一定幅部分１１８Ａと、その一定幅部分１１８Ａの先端側に連設された先細部分１１８Ｂがリング部材１１６から突出した状態になっている。一定幅部分１１８Ａは、その幅Ｗが挿入部（図１１参照）１１４の外径Ｄ３よりも大きく形成されるとともに、長さＬ１がバルーン１１２（図１１参照）の固定部１１２Ａの長さＬ２よりも大きく形成されている。一方、先細部分１１８Ｂは、先端に丸みを帯びた先細形状に形成されており、先細部分１１８Ｂをバルーン１１２の固定部１１２Ａに容易に、且つ、バルーン１１２を傷を付けずに挿入できるようになっている。
【００４５】
上記の如く構成された装着具１１０を用いてバルーン１１２を取り付ける方法について説明する。
【００４６】
作業者は、まず、片方の手の親指と人指し指を爪部材１１８、１１８に当てて、爪部材１１８、１１８を両外側から押圧する。これにより、リング部材１１６は、図１２に示す如く弾性変形し、一対の爪部材１１８、１１８同士が近接した状態になる。
【００４７】
次に、もう一方の手でバルーン１１２の固定部１１２Ａを把持し、この固定部１１２Ａの内部に、一対の爪部材１１８、１１８を挿入する。このとき、爪部材１１８、１１８の先端に先細部分１１８Ｂが設けられているので、爪部材１１８をバルーン１１２の内部に容易に挿入することができる。また、一対の爪部材１１８、１１８同士の間隔が、先細部分１１８Ｂから一定幅部分１１８Ａまで全体において近接しているので、一対の爪部材１１８、１１８をバルーン１１２の固定部１１２Ａの奥まで容易に挿入することができる。
【００４８】
バルーン１１２の固定部１１２Ａが爪部材１１８の一定幅部分１１８Ａに完全に被さるまで爪部材１１８、１１８の挿入を行った後、爪部材１１８、１１８を押圧する力を弱めてリング部材１１６を復元させる。リング部材１１６の復元力は、バルーン１１２の復元力よりも大きいので、リング部材１１８は図１３に示すように元のリング形状に戻り、バルーン１１２の固定部１１２Ａが一対の爪部材１１８、１１８によって拡げられる。爪部材１１８、１１８の幅Ｗ（図１０参照）は挿入部１１４の外径Ｄ３（図１１参照）よりも大きいので、バルーン１１２の固定部１１２Ａは、挿入部１１４よりも大きく拡げられる。
【００４９】
次に、作業者は、一方の手で装着具１１０を把持し、もう一方の手で挿入部１１４を把持して、挿入部１１４をリング部材１１６の内部に挿入していく。上述の如く、バルーン１１２の固定部１１２Ａは挿入部１１４よりも大きく拡げられているので、挿入部１１４を容易にバルーン１１２の内部に挿入することができる。
【００５０】
挿入部１１４をバルーン１１２の内部に挿入していくと、もう一方の固定部１１２Ａは挿入部１１４が挿入されて自然に押し拡げられる。これにより、挿入部１１４をバルーン１１２に挿通させることができる。
【００５１】
そして、図１３の二点鎖線に示すように、バルーン１１２が所望する装着位置に配置された際に、バルーン１１２の膨張部１１２Ｂ、或いはもう一方の固定部１１２Ａを押さえながら、装着具１１０をバルーン１１２の固定部１１２Ａから引き抜く。これにより、バルーン１１２の固定部１１２Ａ、１１２Ａがその弾性力によって挿入部１１４の外周面に密着した状態で装着される。なお、固定部１１２Ａから引き抜いた装着具１１０は、挿入部１１４の先端側に引き抜か
れる。その際、バルーン１１２は萎んだ状態なので、リング部材１１６がバルーン１１２に引っ掛かることはない。
【００５２】
このように本実施の形態の装着具１１０によれば、リング部材１１６を弾性変形させるだけで爪部材１１８、１１８を簡単にバルーン１１２に挿入することができるとともに、リング部材１１６を復元させるだけでバルーン１１２の固定部１１２Ａを簡単に拡げることができる。したがって、装着具１１０によって拡げられた固定部１１２Ａに挿入部１１４を挿入することによって、挿入部１１４をバルーン１１２に簡単に挿通させることができ、バルーン１１２の装着作業を容易に行うことができる。特に本実施の形態の装着具１１０は、片手で扱うことができるので、もう一方の手でバルーン１１２を把持して固定部１２Ａを拡げることができ、作業をより簡単に行うことができる。
【００５３】
また、本実施の形態によれば、装着具１１０をバルーン１１２の固定部１１２Ａに取り付けた状態で、装着具１１０側から挿入部１１４に挿入することができる。したがって、バルーンを挿入部１１４の先端から離れた位置に取り付けることができる。
【００５４】
なお、上述した実施の形態では、バルーン１１２の一方の固定部１１２Ａのみに装着具１１０を取り付けたが、これに限定するものではなく、図１４に示すように、もう一方の固定部１１２Ａに装着具１１０を取り付けてもよい。この場合、両方の固定部１１２Ａ、１１２Ａが拡げられるので、挿入部１１４をより簡単にバルーン１１２に挿通させることができる。
【００５５】
また、上述した実施の形態は、リング部材１１６を弾性体によって構成したが、これに限定するものではなく、爪部材１１８、１１８を弾性体で構成し、その弾性力を利用してもよい。例えば、図１５に示す装着具１１０は、リング部材１１６がプラスチック等の硬質部材から成り、爪部材１１８、１１８がポリエチレン等の弾性体で構成される。爪部材１１８、１１８は図１５に実線で示す如く、内側に大きく撓むように弾性変形し、図１５に二点鎖線で示す如く、互いが閉口になるように復元する。その際の復元力は、バルーン１１２の復元力よりも大きくなっている。
【００５６】
上記の如く構成された装着具１１０は、爪部材１１８、１１８を外側から押圧して内側に大きく弾性変形させた状態で、爪部材１１８、１１８をバルーン１１２（図１０参照）の固定部１１２Ａの内部に挿入する。そして、爪部材１１８、１１８の押圧を辞めて爪部材１１８、１１８を復元させることによって、バルーン１１２の固定部１１２Ａが拡げられる。これにより、挿入部１１４をバルーン１１２に容易に挿入することができ、バルーン１１２の装着作業を容易に行うことができる。
【００５７】
なお、本発明は、リング部材１１６と爪部材１１８、１１８は少なくとも一方が、バルーン１１２よりも大きな復元力を有する弾性部材によって構成されていればよく、もう一方は、硬質部材で構成されていても、或いはバルーン１１２よりも大きな復元力を有する弾性部材で構成されていてもよい。したがって、リング部材１１６と爪部材１１８、１１８の両方を、バルーン１１２よりも大きな復元力を有する弾性部材によって構成してもよい。
【図面の簡単な説明】
【００５８】
【図１】本発明の実施の形態に係る内視鏡のバルーン取付治具を示す斜視図
【図２】図１に示したバルーン取付治具の展開図
【図３】図１のバルーン取付治具によって内視鏡の挿入部先端に装着されるバルーン及び挿入部先端を示した斜視図
【図４】図１のバルーン取付治具を用いて挿入部先端にバルーンを取り付ける手順を示した説明図
【図５】図１のバルーン取付治具をバルーンの両側に取り付けた状態を示す斜視図
【図６】図５で示したバルーンとバルーン取付治具とがパッケージされた容器の平面図
【図７】バルーン取付治具の爪部材にバルーンが巻かれたものがパッケージされた容器の平面図
【図８】他のバルーン取付治具を用いて挿入部先端にバルーンを取り付ける手順を示した説明図
【図９】本発明に係る装着具を示す斜視図
【図１０】図９の装着具を示す平面図
【図１１】図９の装着具によって挿入部に装着されるバルーンを示す斜視図
【図１２】リング部材を弾性変形させた装着具を示す斜視図
【図１３】装着具を取り付けたバルーンを示す斜視図
【図１４】装着具を両側に取り付けたバルーンを示す斜視図
【図１５】爪部材を弾性体で構成した装着具を示す斜視図
【符号の説明】
【００５９】
１０…バルーン取付治具、１２…バルーン、１２Ａ…固定部、１２Ｂ…膨張部、１３…取付孔、１４…挿入部先端、１６…リング部材、１８…爪部材、１８Ａ…ガイド部分、１８Ｂ…差込部分、３０、３２…容器、５０…バルーン取付治具、５２…リング部材、５４…櫛羽状挿入部、５６…ミシン目、１１０…装着具、１１２…バルーン、１１２Ａ、１１２Ａ…固定部、１１２Ｂ…膨張部、１１４…挿入部、１１６…リング部材、１１８…爪部材、１１８Ａ…一定幅部分、１１８Ｂ…先細部分
【図１】
2005193000.tif 000003
【図２】
2005193000.tif 000004
【図３】
2005193000.tif 000005
【図４】
2005193000.tif 000006
【図５】
2005193000.tif 000007
【図６】
2005193000.tif 000008
【図７】
2005193000.tif 000009
【図８】
2005193000.tif 000010
【図９】
2005193000.tif 000011
【図１０】
2005193000.tif 000012
【図１１】
2005193000.tif 000013
【図１２】
2005193000.tif 000014
【図１３】
2005193000.tif 000015
【図１４】
2005193000.tif 000016
【図１５】
2005193000.tif 000017